(57)【特許請求の範囲】
【請求項１】
筆記体の内部に熱変色性インキを収容し、前記筆記体の前端に前記熱変色性インキが吐出可能なペン先を設け、前記筆記体を軸筒の内部に前後方向に移動可能に収容し、前記軸筒の前端部に、前記筆記体のペン先が出没可能な前端孔を形成し、前記軸筒の前端部外面に、前記熱変色性インキの筆跡を摩擦しその際に生じる摩擦熱で前記熱変色性インキの筆跡を熱変色可能な摩擦部を設けた熱変色性筆記具であって、前記摩擦部のみを前記軸筒の前端部に着脱自在に設け、前記摩擦部の外面に、指や工具を係合させて前記摩擦部を取り外すことが可能な取り外し用係合部を形成し、前記摩擦部を取り外す際、前端孔を備えた軸筒の前端部は取り外されないことを特徴とする熱変色性筆記具。
【請求項２】
前記軸筒の前端部を先細状に形成し、前記軸筒の前端部を硬質材料から形成し、前記軸筒の前端部外面に軟質材料からなる摩擦部を設け、前記摩擦部の前端を前記軸筒の前端よりも前方に位置させた請求項１記載の熱変色性筆記具。
【発明の詳細な説明】
【技術分野】
【０００１】
本発明は、熱変色性筆記具に関する。詳細には、ペン先が軸筒の前端より出没する出没式の熱変色性筆記具に関する。
【背景技術】
【０００２】
特許文献１には、軸筒内に筆記体を前後方向に移動可能に収容し、軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の前端部外面に、前記熱変色性インキの筆跡を摩擦しその際に生じる摩擦熱で該筆跡を熱変色可能な軟質材料よりなる摩擦部を設けた熱変色性筆記具が開示されている。
【先行技術文献】
【特許文献】
【０００３】
【特許文献１】国際公開第２００８／１０５２２７号パンフレット
【発明の概要】
【発明が解決しようとする課題】
【０００４】
前記従来の熱変色性筆記具は、摩擦部の使用によって摩擦部が摩耗すると、摩擦操作時に軸筒の前端が被筆記面（例えば紙面）に接触し、摩擦部による適正な摩擦操作が阻害され、熱変色性筆跡を確実に熱変色性させることができないおそれがある。
【０００５】
本発明は、前記従来の不具合を解決するものであって、摩擦部が摩耗しても新しい摩擦部に交換でき、摩擦部の適正な摩擦性能を維持できる熱変色性筆記具を提供しようとするものである。
【０００６】
尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００７】
［１］本願の第１の発明は、筆記体５の内部に熱変色性インキを収容し、前記筆記体５の前端に前記熱変色性インキが吐出可能なペン先５１を設け、前記筆記体５を軸筒２の内部に前後方向に移動可能に収容し、前記軸筒２の前端部に、前記筆記体５のペン先５１が出没可能な前端孔３を形成し、前記軸筒２の前端部外面に、前記熱変色性インキの筆跡を摩擦しその際に生じる摩擦熱で前記熱変色性インキの筆跡を熱変色可能な摩擦部４を設けた熱変色性筆記具であって、前記摩擦部４のみを前記軸筒２の前端部に着脱自在に設け、前記摩擦部４の外面に、指や工具を係合させて前記摩擦部４を取り外すことが可能な取り外し用係合部４１を形成し、前記摩擦部４を取り外す際、前端孔３を備えた軸筒２の前端部は取り外されないことを要件とする。
【０００８】
前記第１の発明の熱変色性筆記具１は、摩擦部４を軸筒２の前端部に着脱自在に設けたことにより、摩擦部４が摩耗しても新しい摩擦部４に交換でき、摩擦部４の適正な摩擦性能を維持できる。
前記第１の発明の熱変色性筆記具１は、摩擦部４のみを軸筒２の前端部に着脱自在に設け、摩擦部４の外面に取り外し用係合部４１を形成したことにより、摩擦部４を軸筒２の前端部外面から取り外す際（即ち摩擦部４を交換する際）、摩擦部４の外面の取り外し用係合部４１に指や工具等を係合させることにより、摩擦部４を軸筒２の前端部外面から容易に取り外すことができる。また、前記第１の発明の熱変色性筆記具１は、摩擦部４のみを軸筒２の前端部に着脱自在に設けたことにより、摩擦部４を取り外す際、前端孔３を備えた軸筒２の前端部は取り外されないため、軸筒２内部の筆記体５が外部に脱落するおそれがない。尚、前記取り外し用係合部４１は、例えば、突起、溝、孔等が挙げられる。
【０００９】
［２］本願の第２の発明は、前記第１の発明の熱変色性筆記具１において、前記軸筒２の前端部を先細状に形成し、前記軸筒２の前端部を硬質材料から形成し、前記軸筒２の前端部外面に軟質材料からなる摩擦部４を設け、前記摩擦部４の前端を前記軸筒２の前端よりも前方に位置させたことを要件とする。
【００１０】
前記第２の発明の熱変色性筆記具１は、軸筒２の前端部を先細状に形成し、軸筒２の前端部を硬質材料から形成し、軸筒２の前端部外面に軟質材料からなる摩擦部４を設け、摩擦部４の前端を軸筒２の前端よりも前方に位置させたことにより、摩擦部４が摩耗しても、軸筒２の前端が被筆記面に接触することを十分に回避でき、摩擦部４による適正な摩擦性能が維持される。また、第２の発明の熱変色性筆記具１は、摩擦部４の前端を軸筒２の前端よりも前方に位置させるため、摩擦部４の使用により摩擦部４が前端孔３側に変形して、ペン先５１の円滑な出没作動を阻害するおそれがあるが、摩擦部４を着脱自在（交換可能）にしたことにより、ペン先５１の円滑な出没作動が維持される。
【００１１】
【００１２】
【００１３】
【００１４】
【００１５】
・摩擦部
尚、本発明で、前記摩擦部４を構成する軟質材料とは、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部４を構成する軟質材料は、高摩耗性の弾性材料（例えば、消しゴム等）からなるものよりも、紙面等との摩擦で摩耗屑が殆ど生じない低摩耗性の弾性材料からなるものが有効である。
【００１６】
・軸筒
前記軸筒２を構成する硬質材料は、合成樹脂（例えば、ポリカーボネイト、ポリプロプレン、ポリアセタール、ポリエチレンテレフタレート、ＡＢＳ樹脂等）または金属等が挙げられる。
【００１７】
・ペン先
尚、本発明で、前記ペン先５１は、例えば、ボールペンチップ、繊維束の樹脂加工体、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。前記ペン先５１がボールペンチップの場合、ペン先没入状態のペン先乾燥防止機構として、ペン先ボールを前方に付勢し、チップ前端の内向きのカシメ部（前端縁部）内面にボールを圧接させる構成が有効である。前記ペン先５１が、ボールペンチップ以外の構成の場合、ペン先没入状態のペン先乾燥防止機構として、軸筒２の前端孔３を閉鎖し軸筒２内に没入状態のペン先５１を密封する構成が有効である。
【００１８】
・熱変色性インキ
尚、本発明で、前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００１９】
また、前記可逆熱変色性インキに含有される可逆熱変色性マイクロカプセル顔料は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させたものが有効である。
【００２０】
本発明では、前記可逆熱変色性インキは、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度以下の低温域での発色状態、又は完全消色温度以上の高温域での消色状態が、特定温度域（実質的二相保持温度域）〕で記憶保持できる色彩記憶保持型熱変色性インキが適用されることが好ましい。
【００２１】
前記実質的二相保持温度域は、目的に応じて設定できるが、本発明では、前記高温側変色点（完全消色温度）を、２５℃〜９５℃（好ましくは、３６℃〜９０℃）の範囲に設定し、前記低温側変色点（完全発色温度）を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦部４による摩擦熱で容易に変色することができる。
【発明の効果】
【００２２】
本発明は、摩擦部が摩耗しても新しい摩擦部と交換でき、摩擦部の適正な摩擦性能を維持することができる。
【図面の簡単な説明】
【００２３】
【図１】本発明の第１の実施の形態のペン先没入状態を示す縦断面図である（二点鎖線はペン先突出状態を示す）。
【図２】図１において摩擦部を軸筒の前端部から取り外した状態を示す縦断面図である。
【図３】本発明の第２の実施の形態のペン先没入状態を示す縦断面図である（二点鎖線はペン先突出状態を示す）。
【図４】図３において摩擦部を軸筒の前端部から取り外した状態を示す縦断面図である。
【図５】本発明の第３の実施の形態のペン先没入状態を示す縦断面図である（二点鎖線はペン先突出状態を示す）。
【図６】図５において摩擦部を軸筒の前端部から取り外した状態を示す縦断面図である。
【発明を実施するための形態】
【００２４】
＜第１の実施の形態＞
本発明の第１の実施の形態を図１及び図２に示す。
本実施の形態の熱変色性筆記具１は、軸筒２と、該軸筒２内に収容される筆記体５と、該筆記体５のペン先５１を軸筒２の前端孔３より出没自在にさせる出没機構とを備える。
【００２５】
・軸筒
前記軸筒２は、前軸２１と該前軸２１の後端に着脱自在に螺着される後軸２２とからなる。そのため、前記軸筒２内から前記筆記体５を取り出して交換することが可能である。前記軸筒２の後部外面（後軸２２の外面）には、ポケット等に挟持可能なクリップ８が突設される。また、前記軸筒２内には、筆記体５を常時後方に付勢する弾発体６（具体的には圧縮コイルスプリング）が収容される。
【００２６】
・前軸
前記前軸２１は、先細円筒状の硬質材料からなる。即ち、前記軸筒２の前端部が硬質材料から形成される。前記硬質材料は、合成樹脂（例えば、ポリカーボネイト、ポリプロプレン、ポリアセタール、ポリエチレンテレフタレート、ＡＢＳ樹脂等）または金属等が挙げられる。
【００２７】
前記前軸２１の前端部には前端孔３が前後方向に貫設される。前記前端孔３を通して、軸筒２内に収容した筆記体５のペン先５１が出没可能（即ち外部に突出可能且つ軸筒２内に没入可能）となる。前記前軸２１の後端開口部外面には、オネジ部が一体に形成される。また、前記前軸２１の内壁には、前記弾発体６の前端が係止する係止壁部が形成される。前記前軸２１の中間部外面には、弾性材料からなる把持部２１ｂが設けられる。
【００２８】
・摩擦部
前記前軸２１の前端部外面には、軟質材料からなる筒状の摩擦部４が着脱自在に設けられる。具体的には、前記摩擦部４の内面に係合凹部４２を設け、前記軸筒２の前端部外面に係合凸部２１ｂを設け、前記係合凹部４２と前記係合凸部２１ｂとを係脱自在に係合させてなる。
【００２９】
また、前記摩擦部４の後端部外面には突起からなる取り外し用係合部４１が形成される。前記取り外し用係合部４１に指や工具を係合させることによって、摩擦部４を容易に取り外すことができる。
【００３０】
また、摩擦部４の前端開口部の内径は、軸筒２の前端孔３の内径より大きく設定されるか、または軸筒２の前端孔３の内径と等しく設定される。それにより、ペン先５１が前端孔３を円滑に摺動し、ペン先５１の円滑な出没作動が維持される。
【００３１】
前記摩擦部４を構成する軟質材料は、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部４を構成する軟質材料は、高摩耗性の弾性材料（例えば、消しゴム等）からなるものよりも、紙面等との摩擦で摩耗屑が殆ど生じない低摩耗性の弾性材料からなるものが有効である。
【００３２】
前記摩擦部４の前端は、前記軸筒２の前端（即ち前軸２１の前端）よりも前方に位置される。それにより、摩擦部４が摩耗したり、被筆記面に対して軸筒２を略垂直にしたりしても、摩擦部４による適正な摩擦操作が可能となり、熱変色性の筆跡を確実に熱変色させることができる。
【００３３】
・後軸
前記後軸２２は、硬質材料（例えば、ポリカーボネイト、ポリプロプレン、ポリアセタール、ポリエチレンテレフタレート、ＡＢＳ樹脂等の合成樹脂または金属等）からなる円筒体である。前記後軸２２の前端開口部には、前記前軸２１のオネジ部と螺合可能なメネジ部が一体に形成される。
【００３４】
・出没機構
前記軸筒２には、ペン先５１を前端孔３より出没させる出没機構が内蔵されている。本実施の形態の出没機構は、前記操作部７を軸筒２の後端部に設け、前記操作部７を後方付勢に抗して前方に押圧操作することにより、ペン先没入状態からペン先突出状態にする構成（いわゆる後端ノック式）が好ましい。さらに、本実施の形態では、前記後端ノック式の出没機構は、操作部７を前方に押圧することにより、ペン先突出状態からペン先没入状態にすることができるダブルノック式が好ましい。
【００３５】
尚、本実施の形態の出没機構は、これ以外にも、前記操作部を軸筒２側壁より径方向外方に突出させ、前記操作部を後方付勢に抗して前方に押圧操作することにより、ペン先没入状態からペン先突出状態にする構成（いわゆるサイドスライド式）、前記操作部を軸筒２側壁より径方向外方に突出させ、前記操作部を径方向内方に押圧操作することにより、ペン先没入状態からペン先突出状態にする構成（いわゆるサイドノック式）、または、軸筒２の後部に設けた操作部を軸筒２の前部に対して回転させることによりペン先５１を出没させる構成（いわゆる回転式）等を採用することができる。
【００３６】
・筆記体
前記筆記体５は、ペン先５１と、前記ペン先５１を前端に備え且つ内部に熱変色性インキを収容するインキ収容部とからなる。前記ペン先５１より前記熱変色性インキが吐出される。
【００３７】
前記ペン先５１は、前端に回転可能に抱持されたボールを備えるボールペンチップからなる。前記ペン先５１の内部には、前端のボールを前方に押圧する弾発体が収容される。前記弾発体は、圧縮コイルスプリングの前端部にロッド部を備えた構成であり、前記ロッド部の前端がボール後面に接触している。非筆記時、前記弾発体の前方付勢によりボールがボールペンチップ前端の内向きのカシメ部内面に密接され、ペン先５１の前端からのインキの漏出及びインキの蒸発を防止できる。
【００３８】
前記インキ収容部は、ペン先５１を保持するペン先ホルダーと、前記ペン先ホルダーが前端に固着されるインキ収容管とからなる。前記インキ収容部内には、熱変色性インキと、該インキの後端に配置され、インキの消費に伴い前進し且つインキの後退（即ち逆流）を防止する追従体とが収容される。
【００３９】
・筆記時
本実施の形態の熱変色性筆記具１を片手に持ち、操作部７を前方に押圧操作することによって、迅速にペン先没入状態からペン先突出状態にすることできる。この突出状態のペン先５１で、紙面等の被筆記面に筆記することにより、熱変色性インキによる筆跡を被筆記面に形成することができる。
【００４０】
・摩擦変色時
筆記後、前記熱変色性筆記具１を片手に持った状態で、熱変色性筆記具１を大きく持ち替えること無く、操作部７を前方に押圧操作することによって、迅速にペン先突出状態からペン先没入状態にすることができる。前記ペン先没入状態において、摩擦部４を用いて、被筆記面に形成された前記熱変色性インキによる筆跡を摩擦し、その際に生じる摩擦熱で前記筆跡を熱変色させることができる。
【００４１】
本実施の形態の熱変色性筆記具１は、前記摩擦部４を前記軸筒２の前端部に着脱自在に設けたことにより、摩擦部４が摩耗しても新しい摩擦部４と交換でき、摩擦部４の適正な摩擦性能を維持できる。
【００４２】
本実施の形態の熱変色性筆記具１は、前記軸筒２の前端部を先細状に形成し、前記軸筒２の前端部を硬質材料から形成し、前記軸筒２の前端部外面に軟質材料からなる摩擦部４を設け、前記摩擦部４の前端を前記軸筒２の前端よりも前方に位置させたことにより、摩擦部４が摩耗したり、被筆記面に対して軸筒２を略垂直にしたりしても、摩擦部４による適正な摩擦性能が維持される。また、本実施の形態の熱変色性筆記具１は、摩擦部４の前端を軸筒２の前端よりも前方に位置させるため、摩擦部４の使用により摩擦部４が前端孔３の前方に変形して、ペン先５１の円滑な出没作動を阻害するおそれがあるが、摩擦部４を着脱自在（交換可能）にしたことにより、ペン先５１の円滑な出没作動が維持される。
【００４３】
本実施の形態の熱変色性筆記具１は、前記摩擦部４のみを前記軸筒２の前端部に着脱自在に設け、前記摩擦部４の外面に取り外し用係合部４１を形成したことにより、摩擦部４を軸筒２の前端部外面から取り外す際（即ち摩擦部４を交換する際）、摩擦部４の外面に取り外し用係合部４１に指や工具等を係合させることにより、摩擦部４を軸筒２の前端部外面から容易に取り外すことができる。また、本実施の形態の熱変色性筆記具１は、前記摩擦部４のみを前記軸筒２の前端部に着脱自在に設けたことにより、摩擦部４を取り外す際、前端孔３を備えた軸筒２の前端部は取り外されないため、軸筒２内部の筆記体５が外部に脱落するおそれがない。
【００４４】
＜第２の実施の形態＞
本発明の第２の実施の形態を図３及び図４に示す。
本実施の形態の熱変色性筆記具１は、軸筒２と、該軸筒２内に収容される筆記体５と、該筆記体５のペン先５１を軸筒２の前端孔３より出没自在にさせる出没機構とを備える。
【００４５】
・軸筒
前記軸筒２は、前軸２１と該前軸２１の後端に着脱自在に螺着される後軸２２とからなる。そのため、前記軸筒２内から前記筆記体５を取り出して交換することが可能である。前記軸筒２の後部外面（後軸２２の外面）には、ポケット等に挟持可能なクリップ８が突設される。また、前記軸筒２内には、筆記体５を常時後方に付勢する弾発体６（具体的には圧縮コイルスプリング）が収容される。
【００４６】
・前軸
前記前軸２１は、先細円筒状の硬質材料からなる。即ち、前記軸筒２の前端部が硬質材料から形成される。前記硬質材料は、合成樹脂（例えば、ポリカーボネイト、ポリプロプレン、ポリアセタール、ポリエチレンテレフタレート、ＡＢＳ樹脂等）または金属等が挙げられる。
【００４７】
前記前軸２１の前端部には前端孔３が前後方向に貫設される。前記前端孔３を通して、軸筒２内に収容した筆記体５のペン先５１が出没可能（即ち外部に突出可能且つ軸筒２２内に没入可能）となる。前記前軸２１の後端開口部外面には、オネジ部が一体に形成される。また、前記前軸２１の内壁には、前記弾発体６の前端が係止する係止壁部が形成される。
【００４８】
・摩擦部
前記前軸２１の前端部外面には、軟質材料からなる摩擦部４が、嵌合、螺合、または２色成形により設けられる。前記前軸２１の前端部外面に軟質材料よりなる摩擦部４を設けたことにより、硬質材料からなる前軸２１を後軸２２から着脱させることによって、摩擦部４を軸筒２の前端部から着脱させることができ、摩擦部４の着脱が容易となる。
【００４９】
摩擦部４の前端開口部の内径は、軸筒２の前端孔３の内径より大きく設定されるか、または軸筒２の前端孔３の内径と等しく設定される。それにより、ペン先５１が前端孔３を円滑に摺動し、ペン先５１の円滑な出没作動が維持される。
【００５０】
前記摩擦部４を構成する軟質材料は、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部４を構成する軟質材料は、高摩耗性の弾性材料（例えば、消しゴム等）からなるものよりも、紙面等との摩擦で摩耗屑が殆ど生じない低摩耗性の弾性材料からなるものが有効である。
【００５１】
前記摩擦部４の前端は、前記軸筒２の前端（即ち前軸２１の前端）よりも前方に位置される。それにより、摩擦部４が摩耗したり、被筆記面に対して軸筒２を略垂直にしたりしても、摩擦部４による適正な摩擦操作が可能となり、熱変色性の筆跡を確実に熱変色させることができる。
【００５２】
・後軸
前記後軸２２は、硬質材料（例えば、ポリカーボネイト、ポリプロプレン、ポリアセタール、ポリエチレンテレフタレート、ＡＢＳ樹脂等の合成樹脂または金属等）からなる円筒体である。前記後軸２２の前端開口部には、前記前軸２１のオネジ部と螺合可能なメネジ部が一体に形成される。前記後軸２２の前部外面には、弾性材料よりなる把持部２２ａが設けられる。
【００５３】
・出没機構
前記軸筒２には、ペン先５１を前端孔３より出没させる出没機構が内蔵されている。本実施の形態の出没機構は、前記操作部７を軸筒２の後端部に設け、前記操作部７を後方付勢に抗して前方に押圧操作することにより、ペン先没入状態からペン先突出状態にする構成（いわゆる後端ノック式）が好ましい。さらに、本実施の形態では、前記後端ノック式の出没機構は、操作部７を前方に押圧することにより、ペン先突出状態からペン先没入状態にすることができるダブルノック式が好ましい。
【００５４】
尚、本実施の形態の出没機構は、これ以外にも、前記操作部を軸筒２側壁より径方向外方に突出させ、前記操作部を後方付勢に抗して前方に押圧操作することにより、ペン先没入状態からペン先突出状態にする構成（いわゆるサイドスライド式）、前記操作部を軸筒２側壁より径方向外方に突出させ、前記操作部を径方向内方に押圧操作することにより、ペン先没入状態からペン先突出状態にする構成（いわゆるサイドノック式）、または、軸筒２の後部に設けた操作部を軸筒２の前部に対して回転させることによりペン先５１を出没させる構成（いわゆる回転式）等を採用することができる。
【００５５】
・筆記体
前記筆記体５は、ペン先５１と、前記ペン先５１を前端に備え且つ内部に熱変色性インキを収容するインキ収容部とからなる。前記ペン先５１より前記熱変色性インキが吐出される。
【００５６】
前記ペン先５１は、前端に回転可能に抱持されたボールを備えるボールペンチップからなる。前記ペン先５１の内部には、前端のボールを前方に押圧する弾発体が収容される。前記弾発体は、圧縮コイルスプリングの前端部にロッド部を備えた構成であり、前記ロッド部の前端がボール後面に接触している。非筆記時、前記弾発体の前方付勢によりボールがボールペンチップ前端の内向きのカシメ部内面に密接され、ペン先５１の前端からのインキの漏出及びインキの蒸発を防止できる。
【００５７】
前記インキ収容部は、ペン先５１を保持するペン先ホルダーと、前記ペン先ホルダーが前端に固着されるインキ収容管とからなる。前記インキ収容部内には、熱変色性インキと、該インキの後端に配置され、インキの消費に伴い前進し且つインキの後退（即ち逆流）を防止する追従体とが収容される。
【００５８】
・筆記時
本実施の形態の熱変色性筆記具１を片手に持ち、操作部７を前方に押圧操作することによって、迅速にペン先没入状態からペン先突出状態にすることできる。この突出状態のペン先５１で、紙面等の被筆記面に筆記することにより、熱変色性インキによる筆跡を被筆記面に形成することができる。
【００５９】
・摩擦変色時
筆記後、前記熱変色性筆記具１を片手に持った状態で、熱変色性筆記具１を大きく持ち替えること無く、操作部７を前方に押圧操作することによって、迅速にペン先突出状態からペン先没入状態にすることができる。前記ペン先没入状態において、摩擦部４を用いて、被筆記面に形成された前記熱変色性インキによる筆跡を摩擦し、その際に生じる摩擦熱で前記筆跡を熱変色させることができる。
【００６０】
本実施の形態の熱変色性筆記具１は、前記摩擦部４を前記軸筒２の前端部に着脱自在に設けたことにより、摩擦部４が摩耗しても新しい摩擦部４と交換でき、摩擦部４の適正な摩擦性能を維持できる。
【００６１】
本実施の形態の熱変色性筆記具１は、前記軸筒２の前端部を先細状に形成し、前記軸筒２の前端部を硬質材料から形成し、前記軸筒２の前端部外面に軟質材料からなる摩擦部４を設け、前記摩擦部４の前端を前記軸筒２の前端よりも前方に位置させたことにより、摩擦部４が摩耗したり、被筆記面に対して軸筒２を略垂直にしたりしても、摩擦部４による適正な摩擦性能が維持される。また、本実施の形態の熱変色性筆記具１は、摩擦部４の前端を軸筒２の前端よりも前方に位置させるため、摩擦部４の使用により摩擦部４が前端孔３の前方に変形して、ペン先５１の円滑な出没作動を阻害するおそれがあるが、摩擦部４を着脱自在（交換可能）にしたことにより、ペン先５１の円滑な出没作動が維持される。
【００６２】
本実施の形態の熱変色性筆記具１は、前記軸筒２が、硬質材料からなる先細状の前軸２１と、該前軸２１の後端部に着脱自在の後軸２２とからなり、前記前軸２１の前端部に前端孔３を設け、前記前軸２１の前端部外面に軟質材料よりなる摩擦部４を設けたことにより、硬質材料からなる前軸２１を後軸２２から着脱させることによって、摩擦部４を軸筒２の前端部から着脱させることができ、摩擦部４の着脱が容易となる。
【００６３】
＜第３の実施の形態＞
本発明の第３の実施の形態を図５及び図６に示す。
本実施の形態の熱変色性筆記具１は、軸筒２と、該軸筒２内に収容される筆記体５と、該筆記体５のペン先５１を軸筒２の前端孔３より出没自在にさせる出没機構とを備える。
【００６４】
・軸筒
前記軸筒２は、前軸２１と該前軸２１の後端に着脱自在に螺着される後軸２２とからなる。そのため、前記軸筒２内から前記筆記体５を取り出して交換することが可能である。前記軸筒２の後部外面（後軸２２の外面）には、ポケット等に挟持可能なクリップ８が突設される。また、前記軸筒２内には、筆記体５を常時後方に付勢する弾発体６（具体的には圧縮コイルスプリング）が収容される。
【００６５】
・前軸
前記前軸２１は、先細円筒状の硬質材料からなる。即ち、前記軸筒２の前端部が硬質材料から形成される。前記前軸２１の中間部外面には、弾性材料よりなる把持部２１ａが設けられる。前記硬質材料は、合成樹脂（例えば、ポリカーボネイト、ポリプロプレン、ポリアセタール、ポリエチレンテレフタレート、ＡＢＳ樹脂等）または金属等が挙げられる。
【００６６】
前記前軸２１の前端部には前端孔３が前後方向に貫設される。前記前端孔３を通して、軸筒２内に収容した筆記体５のペン先５１が出没可能（即ち外部に突出可能且つ軸筒２２内に没入可能）となる。前記前軸２１の後端開口部外面には、オネジ部が一体に形成される。また、前記前軸２１の内壁には、前記弾発体６の前端が係止する係止壁部が形成される。
【００６７】
・摩擦部
前記前軸２１の前端部外面には、軟質材料からなる摩擦部４が、嵌合、螺合、または２色成形により設けられる。前記前軸２１の前端部外面に軟質材料よりなる摩擦部４を設けたことにより、硬質材料からなる前軸２１を後軸２２から着脱させることによって、摩擦部４を軸筒２の前端部から着脱させることができ、摩擦部４の着脱が容易となる。また、前軸２１の中間部外面に弾性材料からなる把持部２１ａを設けたことによって、弾性材料からなる把持部２１ａを安定して把持でき、前軸２１の着脱が容易となる。
【００６８】
摩擦部４の前端開口部の内径は、軸筒２の前端孔３の内径より大きく設定されるか、または軸筒２の前端孔３の内径と等しく設定される。それにより、ペン先５１が前端孔３を円滑に摺動し、ペン先５１の円滑な出没作動が維持される。
【００６９】
前記摩擦部４を構成する軟質材料は、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部４を構成する軟質材料は、高摩耗性の弾性材料（例えば、消しゴム等）からなるものよりも、紙面等との摩擦で摩耗屑が殆ど生じない低摩耗性の弾性材料からなるものが有効である。
【００７０】
前記摩擦部４の前端は、前記軸筒２の前端（即ち前軸２１の前端）よりも前方に位置される。それにより、摩擦部４が摩耗したり、被筆記面に対して軸筒２を略垂直にしたりしても、摩擦部４による適正な摩擦操作が可能となり、熱変色性の筆跡を確実に熱変色させることができる。
【００７１】
・後軸
前記後軸２２は、硬質材料（例えば、ポリカーボネイト、ポリプロプレン、ポリアセタール、ポリエチレンテレフタレート、ＡＢＳ樹脂等の合成樹脂または金属等）からなる円筒体である。前記後軸２２の前端開口部には、前記前軸２１のオネジ部と螺合可能なメネジ部が一体に形成される。
【００７２】
・出没機構
前記軸筒２には、ペン先５１を前端孔３より出没させる出没機構が内蔵されている。本実施の形態の出没機構は、前記操作部７を軸筒２の後端部に設け、前記操作部７を後方付勢に抗して前方に押圧操作することにより、ペン先没入状態からペン先突出状態にする構成（いわゆる後端ノック式）が好ましい。さらに、本実施の形態では、前記後端ノック式の出没機構は、操作部７を前方に押圧することにより、ペン先突出状態からペン先没入状態にすることができるダブルノック式が好ましい。
【００７３】
尚、本実施の形態の出没機構は、これ以外にも、前記操作部７を軸筒２側壁より径方向外方に突出させ、前記操作部７を後方付勢に抗して前方に押圧操作することにより、ペン先没入状態からペン先突出状態にする構成（いわゆるサイドスライド式）、前記操作部７を軸筒２側壁より径方向外方に突出させ、前記操作部７を径方向内方に押圧操作することにより、ペン先没入状態からペン先突出状態にする構成（いわゆるサイドノック式）、または、軸筒２の後部に設けた操作部７を軸筒２の前部に対して回転させることによりペン先５１を出没させる構成（いわゆる回転式）等を採用することができる。
【００７４】
・筆記体
前記筆記体５は、ペン先５１と、前記ペン先５１を前端に備え且つ内部に熱変色性インキを収容するインキ収容部とからなる。前記ペン先５１より前記熱変色性インキが吐出される。
【００７５】
前記ペン先５１は、前端に回転可能に抱持されたボールを備えるボールペンチップからなる。前記ペン先５１の内部には、前端のボールを前方に押圧する弾発体が収容される。前記弾発体は、圧縮コイルスプリングの前端部にロッド部を備えた構成であり、前記ロッド部の前端がボール後面に接触している。非筆記時、前記弾発体の前方付勢によりボールがボールペンチップ前端の内向きのカシメ部内面に密接され、ペン先５１の前端からのインキの漏出及びインキの蒸発を防止できる。
【００７６】
前記インキ収容部は、ペン先５１を保持するペン先ホルダーと、前記ペン先ホルダーが前端に固着されるインキ収容管とからなる。前記インキ収容部内には、熱変色性インキと、該インキの後端に配置され、インキの消費に伴い前進し且つインキの後退（即ち逆流）を防止する追従体とが収容される。
【００７７】
・筆記時
本実施の形態の熱変色性筆記具１を片手に持ち、操作部７を前方に押圧操作することによって、迅速にペン先没入状態からペン先突出状態にすることできる。この突出状態のペン先５１で、紙面等の被筆記面に筆記することにより、熱変色性インキによる筆跡を被筆記面に形成することができる。
【００７８】
・摩擦変色時
筆記後、前記熱変色性筆記具１を片手に持った状態で、熱変色性筆記具１を大きく持ち替えること無く、操作部７を前方に押圧操作することによって、迅速にペン先突出状態からペン先没入状態にすることができる。前記ペン先没入状態において、摩擦部４を用いて、被筆記面に形成された前記熱変色性インキによる筆跡を摩擦し、その際に生じる摩擦熱で前記筆跡を熱変色させることができる。
【００７９】
本実施の形態の熱変色性筆記具１は、前記摩擦部４を前記軸筒２の前端部に着脱自在に設けたことにより、摩擦部４が摩耗しても新しい摩擦部４と交換でき、摩擦部４の適正な摩擦性能を維持できる。
【００８０】
本実施の形態の熱変色性筆記具１は、前記軸筒２の前端部を先細状に形成し、前記軸筒２の前端部を硬質材料から形成し、前記軸筒２の前端部外面に軟質材料からなる摩擦部４を設け、前記摩擦部４の前端を前記軸筒２の前端よりも前方に位置させたことにより、摩擦部４が摩耗したり、被筆記面に対して軸筒２を略垂直にしたりしても、摩擦部４による適正な摩擦性能が維持される。また、本実施の形態の熱変色性筆記具１は、摩擦部４の前端を軸筒２の前端よりも前方に位置させるため、摩擦部４の使用により摩擦部４が前端孔３の前方に変形して、ペン先５１の円滑な出没作動を阻害するおそれがあるが、摩擦部４を着脱自在（交換可能）にしたことにより、ペン先５１の円滑な出没作動が維持される。
【００８１】
本実施の形態の熱変色性筆記具１は、前記軸筒２が、硬質材料からなる先細状の前軸２１と、該前軸２１の後端部に着脱自在の後軸２２とからなり、前記前軸２１の前端部に前端孔３を設け、前記前軸２１の前端部外面に軟質材料よりなる摩擦部４を設けたことにより、硬質材料からなる前軸２１を後軸２２から着脱させることによって、摩擦部４を軸筒２の前端部から着脱させることができ、摩擦部４の着脱が容易となる。
【符号の説明】
【００８２】
１  熱変色性筆記具
２  軸筒
２１  前軸
２１ａ  把持部
２１ｂ  係合凸部
２２  後軸
２２ａ  把持部
３  前端孔
４  摩擦部
４１  取り外し用係合部
４２  係合凹部
５  筆記体
５１  ペン先
６  弾発体
７  操作部
８  クリップ
【図１】
0005551500.tif 000002
【図２】
0005551500.tif 000003
【図３】
0005551500.tif 000004
【図４】
0005551500.tif 000005
【図５】
0005551500.tif 000006
【図６】
0005551500.tif 000007